(57)【特許請求の範囲】
【請求項１】
少なくとも１以上の他の端末装置と接続された時に該接続された端末装置と協働して１台の携帯端末装置として動作する携帯端末装置であって、
タッチパッドディスプレイと、
前記接続した他の端末装置の操作を可能とするマスター設定、若しくは前記接続した他の端末装置からの操作命令に従うスレーブ設定を行う設定手段と、
自装置と接続された端末装置との通信状況に応じてマスター／スレーブ設定を切り替える切替手段と、
を備えることを特徴とする携帯端末装置。  
【請求項２】
前記タッチパッドディスプレイは、前記マスター設定がなされた場合は表示部として使用され、前記スレーブ設定がなされた場合は操作部として使用されることを特徴とする請求項１記載の携帯端末装置。  
【請求項３】
前記タッチパッドディスプレイは、前記マスター設定がなされた場合は操作部として使用され、前記スレーブ設定がなされた場合は表示部として使用されることを特徴とする請求項１記載の携帯端末装置。  
【請求項４】
前記タッチパッドディスプレイは、前記マスター設定若しくはスレーブ設定のいずれも選択されなかった場合は、表示部及び操作部として使用されることを特徴とする請求項１記載の携帯端末装置。  
【請求項５】
前記携帯端末装置の付加機能部分は分離可能な構成となっていることを特徴とする請求項１から４のいずれか１項記載の携帯端末装置。  
【請求項６】
前記分離可能な付加機能は、バッテリパックに搭載されていることを特徴とする請求項５記載の携帯端末装置。  
【請求項７】
前記他の端末装置との接続は、シリアルバスで接続することを特徴とする請求項１から６のいずれか１項記載の携帯端末装置。  
【請求項８】
前記他の端末装置は、請求項１から７のいずれか１項記載の携帯端末装置であることを特徴とする携帯端末装置。  
【請求項９】
使用する通信事業者を選択する選択手段を備え、前記設定手段は、前記選択された通信事業者に対応したアプリケーションを有する携帯端末装置をマスター設定とし、他方をスレーブ設定とすることを特徴とする請求項８記載の携帯端末装置。  
【請求項１０】
少なくとも１以上の他の端末装置と接続された時に該接続された端末装置と協働して１台の携帯端末装置として動作する携帯端末装置の制御方法であって、前記接続した他の端末装置の操作を可能とするマスター設定、若しくは前記接続した他の端末装置からの操作命令に従うスレーブ設定を行うステップおよび自装置と接続された端末装置との通信状況に応じてマスター／スレーブ設定を切り替えるステップを備えることを特徴とする制御方法。  
【請求項１１】
少なくとも１以上の他の端末装置と接続された時に該接続された端末装置と協働して１台の携帯端末装置として動作する携帯端末装置の制御プログラムであって、前記接続した他の端末装置の操作を可能とするマスター設定、若しくは前記接続した他の端末装置からの操作命令に従うスレーブ設定を行う処理および自装置と接続された端末装置との通信状況に応じてマスター／スレーブ設定を切り替える処理をコンピュータに実行させることを特徴とする制御プログラム。  
【請求項１２】
請求項１１記載の制御プログラムの処理を記録するコンピュータ読み取り可能な記録媒体。  
【発明の詳細な説明】
【技術分野】
【０００１】
本発明は、携帯端末装置、制御方法、制御プログラム及び記録媒体に関する。
【背景技術】
【０００２】
近年、無線通信機能を有した携帯端末装置が普及している。図７に、一般的な携帯端末装置の一例として携帯電話装置のブロック構成図を示す。図に示すように、Blue tooth、カメラ、モバイルSuica（登録商標第4570845号）等の様々な附属機能を有する携帯端末装置が普及している。また、タッチパッドディスプレイを備えた携帯端末（特許文献１参照）も知られている。職場から携帯端末装置を支給されることも多く、仕事用や私用として携帯端末装置を複数持つことも見受けられるようになった。
【０００３】
近年、通信事業者は、同一キャリア内通話料定額、データ通信料定額等、特色のあるサービスを提供するようになった。従ってユーザはより自分の好みに合った通信事業者を選択し、契約することが出来る。よりその目的に応じたサービスを受けるために、私用の携帯端末装置でも複数持ち、一人で複数の通信事業者と契約し、利用することもある。複数の通信事業者を同時利用するためには、複数の携帯端末装置が必要になるためである。上述したような職場から支給される携帯端末装置も考慮すると、昨今は一人で何台もの携帯端末装置を所有することが考えられる。
【０００４】
しかしながら、複数の携帯端末装置を所有することは、その端末装置の大きさ、重さが煩わしくなる。さらに、相互にデータ共有が困難、機能（カメラ、ＧＰＳ（Global Positioning Systems）、ＤＴＶ（Digital Television）、Felica（登録商標第4888105号）等）が重複してコストパフォーマンスが悪い等の不便な点や無駄な点が多く、問題がある。
【０００５】
そこで、１台の携帯端末装置で２つの異なる通信事業者を利用して無線通信可能とする携帯端末装置として、ＳＩＭ（Subscriber Identity Module）フリーと呼ばれる任意の通信事業者の ＳＩＭやＵＩＭ（User Identity Module）を利用できる端末が流通している。また、複数の携帯端末装置を接続して利用することが知られている。複数の携帯端末装置を用いたシステムとしては、ＰＨＳ等の子機端末及び複数の交換機を用いたローミング型交換機システムや（特許文献２参照）、複数端末でサーバ等の中継装置を介さずに音声会議を行うシステムが知られている（特許文献３参照）。また、複数の通信事業者にまたがって複数の携帯端末を保有している場合でも、携帯端末の種類に依存せずに携帯端末内のデータのバックアップ等を行うことが可能な携帯端末データ管理システムが知られている（特許文献４参照）。
【特許文献１】特開２００４−１３５３４０号公報
【特許文献２】特開２０００−３４１４０４号公報
【特許文献３】特開２００３−２７４０３１号公報
【特許文献４】特開２００５−２０２９１８号公報
【発明の開示】
【発明が解決しようとする課題】
【０００６】
しかしながら、上記のようなＳＩＭフリーと呼ばれる任意の通信事業者の ＳＩＭやＵＩＭを利用できる携帯端末装置は、通信事業者からのインセンティヴがないため非常に高価である。また、上記のような携帯端末装置は、いずれも、各通信事業者独自のＷＥＢ、メールサービスが利用できない、２つの通信事業者を同時に利用できない等の問題があった。
【０００７】
本発明はこのような状況に鑑みてなされたものであり、ユーザが複数の通信事業者に契約した際の利便性を高めることを目的とする。
【課題を解決するための手段】
【０００８】
本発明の第１の携帯端末装置は、少なくとも１以上の他の端末装置と接続された時に該接続された端末装置と協働して１台の携帯端末装置として動作する携帯端末装置であって、タッチパッドディスプレイと、前記接続した他の端末装置の操作を可能とするマスター設定、若しくは前記接続した他の端末装置からの操作命令に従うスレーブ設定を行う設定手段と、自装置と接続された端末装置との通信状況に応じてマスター／スレーブ設定を切り替える切替手段と、を備えることを特徴とする。
【０００９】
本発明の第１の制御方法は、少なくとも１以上の他の端末装置と接続された時に該接続された端末装置と協働して１台の携帯端末装置として動作する携帯端末装置の制御方法であって、前記接続した他の端末装置の操作を可能とするマスター設定、若しくは前記接続した他の端末装置からの操作命令に従うスレーブ設定を行うステップおよび自装置と接続された端末装置との通信状況に応じてマスター／スレーブ設定を切り替えるステップを備えることを特徴とする。
【００１０】
本発明の第１の制御プログラムは、少なくとも１以上の他の端末装置と接続された時に該接続された端末装置と協働して１台の携帯端末装置として動作する携帯端末装置の制御プログラムであって、前記接続した他の端末装置の操作を可能とするマスター設定、若しくは前記接続した他の端末装置からの操作命令に従うスレーブ設定を行う処理および自装置と接続された端末装置との通信状況に応じてマスター／スレーブ設定を切り替える処理をコンピュータに実行させることを特徴とする。
【００１１】
本発明の第１の記録媒体は、上記本発明の第１の制御プログラムの処理を記録するコンピュータ読み取り可能な記録媒体である。
【発明の効果】
【００１２】
本発明によれば、ユーザが複数の通信事業者に契約した際の利便性を高めることが出来る。
【発明を実施するための最良の形態】
【００１３】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１４】
［構成］
本発明の実施形態に係る携帯端末装置のブロック構成を図１に示す。本携帯端末装置は、携帯端末装置として最低限必要となる部分（以下「必須機能部分」とも称す）と付加機能部分を分離可能な構成とする。必須機能部分は、例えば、電源回路１、通信ＣＰＵ２、アプリケーションＣＰＵ３、タッチパッドディスプレイ４、無線部５、ＵＩＭ６から構成される。ここで、タッチパッドディスプレイとは、表示画面（ディスプレイ）に指やペン等で触れることにより、データ等の入力が可能な画面接触型の表示・入力装置であり、タッチスクリーン、タッチパネルディスプレイ、タッチパネル付きディスプレイ等とも称される。
【００１５】
図１において、他の端末装置と接続する接続部は特に図示していないが、例えば図４に示すように、シリアルバス接続、電源接続等、様々考え得るため特に限定しない。
【００１６】
図１に示す本携帯端末装置が備えるタッチパッドディスプレイ４とは、タッチパッド付きのディスプレイである。本携帯端末装置のマスター／スレーブ設定を行う設定手段は、タッチパッドディスプレイ４から操作し、アプリケーションＣＰＵ３をマスター／スレーブ設定にすることで実現出来る。ユーザの任意によってマスター／スレーブ設定を行なうことが出来る。
【００１７】
マスター設定がなされた携帯端末装置は、従属接続された他の端末装置を操作することが可能となる。なお、初期設定をマスター設定にしておいても良い。
【００１８】
一方、スレーブ設定された携帯端末装置は、規定されたＡＰＩ（Application Program Interface）に従ってマスター側の端末から要求された動作を行う。
【００１９】
本実施形態では、マスター設定された場合は、タッチパッドディスプレイ４を、操作部（入力部、タッチパッドとも称す）として使用する。一方、スレーブ設定された場合は、タッチパッドディスプレイ４を表示部（ディスプレイとも称す）として使用する。本実施形態では説明上このように限定するが、タッチパッドディスプレイ４の機能は操作部、表示部いずれであっても良い。
【００２０】
図１に示す本携帯端末装置の分離可能な付加部分は、例として付加機能付バッテリパック７とする。付加機能として、例えばモバイルＳｕｉｃａ８、ＧＰＳ９を有する。バッテリパック７の脱着によって本体（必須機能部分）と付加機能部分の分離が可能となる。
【００２１】
図１では、付加機能部分はシリアルバスでアプリケーションＣＰＵ３と接続されており、本体から各付加機能を制御できる構成となっている。なお、図１では一例としてシリアルバスによる接続を記載しているが、これに限られるものではない。
【００２２】
［２台接続した場合の構成と動作］
次に、本発明の実施形態に係る携帯端末装置を２台接続し、１台の携帯電話として動作させる場合の例を説明する。以下、マスター設定された携帯端末装置を１０ａ、スレーブ設定された携帯端末装置を１０ｂと示す。なお、接続方法については特に限定しないが、本実施形態では一例として図２に示すように専用の接続用ヒンジユニット１１にて接続する。接続用ヒンジユニット１１にて、シリアルバス、電源接続を行うことが可能である。ヒンジは開閉可能で、図３に示すように通常の折りたたみ式携帯電話のような開閉が可能である。
【００２３】
図４は、本実施形態のブロック構成図である。バッテリパック７ａ及び７ｂは、脱着可能である。これにより付加機能の着脱が可能となる。従って、複数の携帯端末装置を接続しても機能の重複がなく、最小限のハードウェア構成で、複数の通信事業者独自機能にも対応できる利便性の高い携帯端末装置となる。
【００２４】
アプリケーションＣＰＵ３ｂ（スレーブ設定）は、キーパッドとして使用されているタッチパッドディスプレイ４ｂから入力された操作指示情報（キー入力データとも称す）をマスター側の携帯端末装置１０ａに転送する。また、通信ＣＰＵ２ｂからの通信制御データをマスター側の携帯端末装置１０ａに転送する動作を行う。
【００２５】
このように、他方の携帯端末装置をスレーブ設定にし、シリアルバス接続で制御することにより、他方のデータや通信機能を有効に利用し、あたかも１台の携帯端末装置のように利用することができる。
【００２６】
マスター側の携帯端末装置１０ａの動作は、携帯端末装置を単体で利用する際の通常の動作に近いが、キー入力データをスレーブ側の携帯端末装置１０ｂから受け取ることと、通信ＣＰＵ２ｂに対する通信制御を合わせて行うことが特長となる。
【００２７】
ユーザインタフェースについては、図５に示すように、マスター側携帯端末装置ａ（以下、単にマスター側ａとも称す）のタッチパッドディスプレイ４ａをディスプレイ、スレーブ側携帯端末装置ｂ（以下、単にスレーブ側ｂとも称す）のタッチパッドディスプレイ４ｂをタッチパッドに統一することによって、通常の携帯電話のような操作性を実現できる。
【００２８】
マスター/スレーブのいずれにおいても、通信ＣＰＵ（２ａ、２ｂ）と無線部（５ａ、５ｂ）は独立して動作し、待受け、通信ができる。従って本実施形態では、２つの通信事業者を利用することが可能である。具体的には、２つの通信事業者に対して音声通信の発着呼やＷＥＢメールサービスが利用可能となる。
【００２９】
２つの事業者の独自機能（ＷＥＢ、メール機能）を利用する際には、それぞれのアプリケーションＣＰＵ（３ａ、３ｂ）がマスターとなる必要がある。ここで、２つの端末を接続するシリアルバスに大量のデータを流すのは望ましくない。例えば、「ディスプレイとマスター側のアプリケーションＣＰＵの間」や、「音声通話、ＴＶ通話をしている通信ＣＰＵとアプリケーションＣＰＵの間」は大量のデータが流れることが多々ある。そこで、スレーブ側ａの通信ＣＰＵ２ａとマスター側ｂのアプリケーションＣＰＵ３ｂ間のデータ量を最小限に抑えるため、通信状況に応じてマスター／スレーブ設定を切り替えて利用することが望ましい。マスター／スレーブの入れ替えは、ユーザ操作により、または自動的に、行うことが考え得る。
【００３０】
本実施形態に係るタッチパッドディスプレイは、ディスプレイとキーパッドは相互に機能変更可能である。従って上記のようなマスター／スレーブの入れ替えが行なわれた場合は、タッチパッドディスプレイ４ａをキーパッド（操作部）に、タッチパッドディスプレイ４ｂをディスプレイ（表示部）となるよう制御することが可能である。
【００３１】
なお、マスター／スレーブの入れ替えが行わなくとも、ユーザインタフェース部はタッチパッドディスプレイであるため、端末の上下を反転させて、ディスプレイ４ａをキーパッド（操作部）として、ディスプレイ４ｂをディスプレイ（表示部）として利用することも可能である。
【００３２】
以上複数の携帯端末装置を１台の端末装置として利用する場合について述べたが、本携帯端末装置は、携帯端末装置としての必須機能部分を備えているため、単体で利用できることはもちろんである。その場合には、図６に示すようにタッチパッドディスプレイ４に表示部１５と操作部１６を表示させることが可能である。
【００３３】
なお、付加機能の追加削除が容易であるため、例えば機密保持のためカメラの持込を禁じられた場所に出入りする際にカメラ機能を削除したり等の使い方が想定できる。また、メンテナンスの際にも効果があると考えられる。その理由は、付加機能を必須機能と分離可能な構成としたためである。
【００３４】
本発明を実現するためにＣＰＵが実行するプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００３５】
以上、本発明を好適な実施形態に基づき具体的に説明したが、本発明は上記のものに限定されるものではなく、その要旨を逸脱しない範囲で種々変更可能であることは言うまでもない。
【図面の簡単な説明】
【００３６】
【図１】本発明の実施形態に係る携帯端末装置のブロック構成図である。
【図２】本発明の実施形態に係る携帯端末装置の複数接続の一例を説明するための図である。
【図３】本発明の実施形態に係る携帯端末装置の複数接続の一例を説明するための図である。
【図４】本発明の実施形態に係る携帯端末装置の複数接続利用時のブロック構成図である。
【図５】本発明の実施形態に係る携帯端末装置の複数接続利用時の外観図である。
【図６】本発明の実施形態に係る携帯端末装置の単体利用時の外観図である。
【図７】一般的な携帯端末装置のブロック構成図である。
【符号の説明】
【００３７】
１    電源回路
２    通信ＣＰＵ
３    アプリケーションＣＰＵ
４    タッチパッドディスプレイ
５    無線部
６    ＵＩＭ
７    付加機能付バッテリパック
８    モバイルＳｕｉｃａ
９    ＧＰＳ
【図１】
0005186931.tif 000002
【図２】
0005186931.tif 000003
【図３】
0005186931.tif 000004
【図４】
0005186931.tif 000005
【図５】
0005186931.tif 000006
【図６】
0005186931.tif 000007
【図７】
0005186931.tif 000008